(57)【要約】【課題】  簡単な構造で、見た目もきれいで強度のあるおにぎりケースを提供する。【解決手段】  シート状の合成樹脂材質から成り、平面が三角形の底部１の三辺にそれぞれ低高、中高、高高と高さの異なる立ち上がり部２ａ、２ｂ、２ｃが設けられ、その前記立ち上がり部の低高の立ち上がり部２ｂの両端にはフラップ４ａ、４ｂが設けられ、その低高の立ち上がり部２ｂの上部には内蓋３ｂが設けられており、その内蓋３ｂの端部には補強体６が設けられている、さらに、中高の立ち上がり部２ｃの上部には内蓋３ｃが設けられ、さらに、高高の立ち上がり部２ａの上部には、三角形の蓋部９が設けられている、さらに上記の各部はそれぞれ薄肉のヒンジ部８を介して連結されている、さらに、低高の立ち上がり部２ｂの、高高の立ち上がり部２ａ側に設けられているフラップ４ａの上部には、押え体部５が設けられており、また、中高の立ち上がり部２ｃの上部に設けられた内蓋３ｃには、止め具貫通用の透孔７が設けられている。【選択図】  図１
2005067729.tif 000002
【特許請求の範囲】
【請求項１】
シート状の合成樹脂材質から成り、平面が三角形の底部の三辺にそれぞれ低高、中高、高高と高さの異なる立ち上がり部が設けられ、その前記立ち上がり部の低高の立ち上がり部の両端にはフラップが設けられ、さらに、その立ち上がり部の上部には内蓋が設けられ、その内蓋の端部には補強体が設けられており、さらに、中高の立ち上がり部の上部には内蓋が設けられ、さらに、高高の立ち上がり部の上部には、三角形の蓋部が設けられている、さらに上記の各部はそれぞれ薄肉のヒンジ部を介して連結されている、さらに、低高の立ち上がり部の、高高の立ち上がり部側に設けられているフラップの上部には、押え体部が設けられており、また、中高の立ち上がり部の上部に設けられた内蓋には、留め具貫通用の透孔が設けられていることを特徴とするおにぎりケース。
【請求項２】
内側面に凹凸が設けられていることを特徴とする、請求項１記載のおにぎりケース。
【発明の詳細な説明】
【発明の詳細な説明】
【技術分野】
【０００１】  本発明は、おにぎりを収納し携帯する為の、おにぎりケースに関する。
【背景技術】
【０００２】  従来のおにぎりケースにあっては、被せ箱状の物で三角形のおにぎりを入れると横揺れせずに容量いっぱいにおにぎりを収納可能な三角形状のものがあった。
また、折りたたんで小さく収納可能のおにぎりケースは、縦、横、高さ方向から見た形状が四角形の物や、縦、横、高さ方向から見た形状の一方向のみ三角形の物もあった。
【発明が解決しようとする課題】
【０００３】  本発明は、上記に記した折りたたみ可能な三角形状のおにぎりケースを、より簡単な構造で、さらに、より初期投資が少なくすることが可能で、さらに、見た目もきれいで、強度もあるおにぎりケースを提供する。
【課題を解決するための手段】
【０００４】  この発明は、シート状の合成樹脂材質から成り、平面が三角形の底部の三辺にそれぞれ低高、中高、高高と高さの異なる立ち上がり部が設けられ、その前記立ち上がり部の低高の立ち上がり部の両端にはフラップが設けられ、さらに、その立ち上がり部の上部には内蓋が設けられ、その内蓋の端部には補強体が設けられており、さらに、中高の立ち上がり部の上部には内蓋が設けられ、さらに、高高の立ち上がり部の上部には、三角形の蓋部が設けられている、さらに上記の各部はそれぞれ薄肉のヒンジ部を介して連結されている、さらに、低高の立ち上がり部の、高高の立ち上がり部側に設けられているフラップの上部には、押え体部が設けられており、また、中高の立ち上がり部の上部に設けられた内蓋には、留め具貫通用の透孔が設けられている。
【発明を実施するための最良の形態】
【０００５】  以下、この発明の実施形態について、図面に基づいて説明する。図１は、本発明を示す平面図であり、厚さ約０．８ミリメートル程度の合成樹脂材質のシートから成っている。さらに詳しくは、材質のシートはヒンジ特性を有する合成樹脂材質であり、内側となる面には、米の粘りでおにぎりがこびり付くことがなくなるように凹凸加工が施されている。【０００６】  そして、三角形の底部の三辺にそれぞれ低高、中高、高高と高さの異なる立ち上がり部２ａ、２ｂ、２ｃが設けられている。その立ち上がり部２ａ、２ｂ、２ｃの内の低高の立ち上がり部２ｂの両端にはフラップ４ａ、４ｂが設けられており、上部には内蓋３ｂが設けられ、さらに、その内蓋３ｂの端部には補強体６が設けられている。さらに、中高の立ち上がり部２ｃの高高の立ち上がり部２ａ側の端部にはフラップ４ｃが設けられ、さらに、上部には内蓋３ｃが設けられている。さらに、高高の立ち上がり部２ａの上部には、三角形の蓋部９が設けられている。そして、上記の各部はすべてそれぞれ図２に記す様な薄肉のヒンジ部８を介して連結されている。【０００７】  さらに、低高の立ち上がり部２ｂの、高高の立ち上がり部２ａ側に設けられているフラップ４ａの上部には、押え体部５が設けられている。また、中高の立ち上がり部２ｃの上部に設けられた内蓋３ｃには、留め具１０ａ、１０ｂ貫通用の透孔７が設けられている。さらに、蓋部９には留め具としてホックの凹部１０ａが設けられており、内蓋３ｂにはホックの凸部１０ｂが設けられている。そして前記透孔７と留め具の凹部１０ａと留め具の凸部１０ｂは、本おにぎりケースを箱状に組み立てた時に、それぞれの中心点が縦方向で一直線に重なり合う位置で設けられている。【０００８】  次に、この実施形態のおにぎりケースの使用方法について図３、４、５、６を用いて説明する。まず、図３に記すように本おにぎリケースを広げおにぎりＣをケースの中に入れる。次に、図３、４に記すようにフラップ４ｂを補強体６で覆うようにする、そして、図５に記すように留め具の凸部１０ｂを透孔７に嵌め込むように立ち上がり部２ｃと内蓋３ｃを曲げる。そして、図６に記すように蓋部９に設けられた留め具凹部１０ａを前記の留め具凸部１０ｂと勘合させて箱状に組み立てる。
【発明の効果】
【０００９】  本発明におけるおにぎりケースは、押え体部５を設けることにより高さの異なる立ち上がり部２ａ、２ｂ、２ｃに形成された場合、図８に記したように立ち上がり部とフラップＢが外方向に拡がることなく、図７に記した様に立ち上がり部とフラップ４ａが垂直な状態のきれいな形状に組立可能である、また補強体６を設けることで留め具１０ａ、１０ｂを留める時に、蓋部９に設けられた留め具凹部１０ａの頭の上から圧力を加え、低高の立ち上がり部２ｂに連結する内蓋３ｂに設けられた留め具凸部１０ｂに嵌め込む時に、製品自体が圧力でつぶれ難い、また、透孔７を設けることにより留め具の凹部１０ａと凸部１０ｂの１セットのみで蓋部９と二箇所の内蓋３ｂ、３ｃの計三箇所の蓋が留められる、またインジェクション成形などの様な高価な金型を使用せず、トムソン等の打ち抜きで成形出来るため、初期投資が極端に安くできる。
【００１０】
【図面の簡単な説明】
【図１】本発明の実施形態を示す平面図である。
【図２】Ａ−Ａ線の拡大断面図である。
【図３】本発明の実施形態の使用状態を示す斜視図である。
【図４】本発明の実施形態の使用状態を示す斜視図である。
【図５】本発明の実施形態の使用状態を示す斜視図である。
【図６】本発明の実施形態の使用状態を示す斜視図である。
【図７】図６のＤ−Ｄ側面図である。
【図８】従来の技術の側面図である。
【符号の説明】
１  底部
２  立ち上がり部
３  内蓋
４  フラップ
５  押え体部
６  補強体
７  透孔
８  ヒンジ部
９  蓋部
１０  留め具
【図１】
2005067729.tif 000003
【図２】
2005067729.tif 000004
【図３】
2005067729.tif 000005
【図４】
2005067729.tif 000006
【図５】
2005067729.tif 000007
【図６】
2005067729.tif 000008
【図７】
2005067729.tif 000009
【図８】
2005067729.tif 000010